(57)【要約】【課題】映像表示の実績情報を収集し出力できる、映像表示装置を提供すること。【解決手段】映像を表示する映像表示部と、前記映像表示部の背面側または側面側に取り付けられ、前記映像表示部により表示されている映像の領域のうち所定領域における特徴量を検出する検出部と、前記映像が表示された時刻又は所定時刻からの経過時間を取得する取得部と、前記検出部により検出された前記特徴量に基づく情報を、前記取得部により計測された前記時刻または前記経過時間と共に出力する出力部とを備える、映像表示装置。【選択図】図１
2019129502.tif 000002
【特許請求の範囲】
【請求項１】
映像を表示する映像表示部と、
前記映像表示部の背面側または側面側に取り付けられ、前記映像表示部により表示されている映像の領域のうち所定領域における特徴量を検出する検出部と、
前記映像が表示された時刻又は所定時刻からの経過時間を取得する取得部と、
前記検出部により検出された前記特徴量に基づく情報を、前記取得部により計測された前記時刻または前記経過時間と共に出力する出力部と、
を備える、映像表示装置。
【請求項２】
前記所定領域は、前記映像表示部の背面の基板に設けた光検出穴から前記特徴量を検出可能な領域であり、
前記検出部は、前記光検出穴を介して前記所定領域における前記特徴量を検出する、
請求項１に記載の映像表示装置。
【請求項３】
前記特徴量は、前記映像表示装置に含まれるバックライトから放出された光の輝度である、
請求項２に記載の映像表示装置。
【請求項４】
映像を表示する映像表示工程と、
前記映像表示工程により表示されている映像の領域のうち所定領域における特徴量を検出する検出工程と、
前記映像が表示された時刻又は所定時刻からの経過時間を取得する取得工程と、
前記検出工程により検出された前記特徴量に基づく情報を、前記取得工程により計測された前記時刻または前記経過時間と共に出力する出力工程と、
を有する表示信号確認方法。
【請求項５】
前記出力工程により出力された出力結果のうち、一定時間の前記出力結果に着目し、前記一定時間の前記出力結果に変化がない場合には、前記映像の表示が正常に行われなかったと判定する、判定工程と、
を更に備える、請求項４に記載の表示信号確認方法。
【請求項６】
前記出力工程により出力された出力結果を、正常に前記映像が表示された場合に取得される出力結果である想定出力結果と比較し、比較結果が所定の関係にあるか否かを判定することによって、前記映像の表示が正常に行われたか否かを判定する、判定工程と、
を更に備える、請求項４に記載の表示信号確認方法。
【請求項７】
前記所定の関係が、前記想定出力結果の推移パターンと、前記出力結果の推移パターンとが一致することである、
請求項６に記載の表示信号確認方法。
【発明の詳細な説明】
【技術分野】
【０００１】
本発明は、映像表示装置および表示信号確認方法に関する。
【背景技術】
【０００２】
従来、コンテンツ配信装置から配信されたコンテンツを表示する映像表示装置において、コンテンツが想定の通り表示されたことを監視するために、コンテンツを表示する表示部に表示されている映像画面を、カメラ等で撮影し、その撮影結果をコンテンツ表示の確証情報とする方法が知られている。（例えば、特許文献１）。
【０００３】
また、例えば、映像を含むコンテンツの放送を放送局に依頼する依頼主の要求に対し、放送が放送局と依頼主の間の契約通りに実施されているか否かを確認する放送確認方法として、依頼主から受け取ったコンテンツの特徴量（例えば、輝度）を算出し、その特徴量を予め蓄積して利用する方法がある。この放送確認方法では、放送波を受信してコンテンツを検出した後に特徴量を算出し、算出した特徴量と予め蓄積した特徴量とを照合することで得られた結果（照合結果）を確証情報としている。依頼主は照合結果を取得することで、放送局に依頼した放送が実施されたか否かを確認することができる。
【先行技術文献】
【特許文献】
【０００４】
【特許文献１】再公表ＷＯ２０１２／１２７９７１号公報
【発明の概要】
【発明が解決しようとする課題】
【０００５】
上述のように、特許文献１の映像表示装置自体には、映像表示の実績情報を提供するための機能を有していない。そのため、映像表示の実績情報を取得するために、カメラ等の外部装置で、映像表示装置の映像表示の実績を記録するといった、余分なコストが掛かっている場合がある。
【０００６】
また、特徴量の照合結果を確認する放送確認方法では、コンテンツの特徴量を算出し蓄積するために専用の外部装置を用いるなど、照合結果の取得から精査に至るまでに手間を要する場合がある。
【０００７】
本発明は、このような事情に鑑みてなされたもので、その目的は、映像表示装置自体に、映像表示の実績情報を取得するセンサーを内蔵することで、映像表示装置単独で映像表示の実績を記録することができ、実績の精査の手間がかからない形式で映像表示の実績情報を出力できる、映像表示装置および表示信号確認方法を提供することにある。
【課題を解決するための手段】
【０００８】
上述した課題を解決するために、本発明は、映像を表示する映像表示部と、前記映像表示部の背面側または側面側に取り付けられ、前記映像表示部により表示されている映像の領域のうち所定領域における特徴量を検出する検出部と、前記映像が表示された時刻又は所定時刻からの経過時間を取得する取得部と、前記検出部により検出された前記特徴量に基づく情報を、前記取得部により計測された前記時刻または前記経過時間と共に出力する出力部とを備える。
【発明の効果】
【０００９】
以上説明したように、この発明によれば、検出部により特徴量を検出し、その検出結果を取得部により取得した時刻又は所定時刻からの経過時間と対応付けることで、映像表示装置単独で映像表示の実績情報を記録することができる。
【図面の簡単な説明】
【００１０】
【図１】第１の実施形態における、映像表示装置１の構成例を示すブロック図である。
【図２】第２の実施形態における、映像表示装置１Ａの構成例を示すブロック図である。
【図３】映像表示部１１０の構成例を示す図である。
【図４】映像表示部１１０の他の構成例を示す図である。
【図５】検出部１２０の配置例を示す図である。
【図６】検出部１２０の配置例の詳細を示す分解斜視図である。
【図７】センシング結果読出部１４６の出力する信号強度の特性の一例を示す図である。
【図８】映像表示装置１Ａによるセンシングの流れの一例を示すフローチャート図である。
【図９】実測データの検証の流れの一例を示すフローチャート図である。
【図１０】第３の実施形態における、映像表示装置１Ｂの構成例を示すブロック図である。
【図１１】映像表示装置１Ｂによるセンシングの流れの一例を示すフローチャート図である。
【発明を実施するための形態】
【００１１】
以下、本発明の実施形態について図面を参照して説明する。
【００１２】
（第１の実施形態）
図１は、第１の実施形態による映像表示装置１の構成を示すブロック図である。映像再生装置と接続する図１の映像表示装置１は、映像表示部１１０と、検出部１２０と、取得部１３０と、出力部１４０とを備える。
【００１３】
映像表示部１１０は、例えばＬＣＤ（Liquid Crystal Display）ディスプレイである。映像表示部１１０は、後述する制御部１５０から入力される映像信号に基づいて、映像を表示する。
【００１４】
検出部１２０は、映像表示部１１０のバックライトから放出された光の輝度を検出し、出力部１４０に検出結果を出力する。輝度は、特徴量の一例である。特徴量は、輝度に代えて、ＲＧＢ成分のそれぞれ強さなどであってもよい。以下、検出部１２０による輝度の検出処理を「センシング」と称する場合がある。取得部１３０は、映像表示部１１０の映像表示が行われている時間または時刻を計測し、出力部１４０に時間計測結果を出力する。
【００１５】
出力部１４０は、検出部１２０の検出結果と、取得部１３０の時間計測結果とを対応付けて記録できるよう、それぞれの結果を加工し、出力する。以下、出力部１４０が出力する加工後の結果を、「実測データ」と称する。
【００１６】
上述したように第１の実施形態によれば、映像表示装置１は、映像表示部１１０の特徴量センサーの検出レベルを検出する検出部１２０の検出結果と、取得部１３０の時間計測結果とを対応付けて記録することで、映像表示の実績を表す実測データを作成することができる。
【００１７】
（第２の実施形態）
次に、第２の実施形態の映像表示装置１Ａについて説明する。以下の説明において、第１の実施形態で説明した内容と同様の機能を有する部分については、同様の名称および符号を付するものとし、その機能に関する具体的な説明は省略する。
【００１８】
図２は、第２の実施形態による映像表示装置１Ａの構成を示すブロック図である。外部装置９００Ａと接続する図２の映像表示装置１Ａは、例えば、映像表示部１１０と、検出部１２０と、時間計測部１３２と、センシング結果変換部１４２と、記憶部１４４と、センシング結果読出部１４６と、制御部１５０とを備える。外部装置９００Ａは、映像再生装置である。時間計測部１３２は、「取得部」の一例である。また、センシング結果変換部１４２と、記憶部１４４と、センシング結果読出部１４６とは、「出力部」の一例である。なお、図２において、映像表示部１１０は分解斜視図の形式で記載している。
【００１９】
映像表示部１１０は、例えば、表示面１１２と、映像信号変換部１１４と、背面１１６とを備える。表示面１１２は、前面に映像を表示する。表示面１１２は、例えば、液晶パネルである。映像信号変換部１１４には、例えば、映像信号を表示面１１２に表示する際の光源となるバックライトや、バックライトの光を分散させる導光板を備える。背面１１６は、例えば、映像表示部１１０の電子基板を備える。映像信号変換部１１４のバックライトは、例えば、ＬＥＤ（Light Emitting Diode；発光ダイオード）光源が用いられる。
【００２０】
検出部１２０は、例えば、映像信号変換部１１４のバックライトから放出された光の輝度を検出し、センシング結果変換部１４２に検出結果を出力する。時間計測部１３２は、映像表示部１１０の映像表示が行われている時間または時刻を計測し、センシング結果変換部１４２に時間計測結果を出力する。なお、時間計測部１３２は、例えば、制御部１５０を介して、外部装置９００Ａから時刻信号を取得してもよい。
【００２１】
センシング結果変換部１４２は、検出部１２０の検出結果と、時間計測部１３２の時間計測結果とを対応付けて実測データとし、所定の周期で記憶部１４４に出力する。また、センシング結果変換部１４２は、後述する制御部１５０から映像信号の出力開始および終了の通知を受信し、実測データと対応付ける。記憶部１４４は、センシング結果変換部１４２から入力された実測データを記憶する。
【００２２】
センシング結果読出部１４６は、記憶部１４４から、実測データを計測された時間の順に読み出し、外部装置９００Ｂに出力する。外部装置９００Ｂは、例えばＰＣ（Personal Computer）である。外部装置９００Ｂは、実測データを検証する。
【００２３】
制御部１５０は、例えば、映像信号変換部１１４のバックライトのローカルディミング制御機能を備える。ローカルディミング制御機能とは、映像信号変換部１１４のバックライトとして機能する複数の光源のそれぞれが発する光の強度を、映像に応じて調整する機能である。ローカルディミング制御機能を有する映像表示装置は、例えば、白のみで構成される映像を流すときの光源が発する光エネルギーの強度を「１００」とすると、黒のみで構成される映像を流すときの光源が発する光エネルギーの強度を「０」とする、といった調整を行う。
【００２４】
制御部１５０は、外部装置９００Ａから映像再生情報を受信して映像信号に変換し、映像表示部１１０に出力する。制御部１５０は、映像信号の出力開始時および終了時に、センシング結果変換部１４２に通知する。また、制御部１５０は、例えば、映像再生情報に、その映像を識別するための情報が付加されている場合、その識別するための情報をセンシング結果変換部１４２に通知する。また、センシング結果変換部１４２は、例えば、映像再生情報に、その映像を識別するための情報が付加されている場合、その識別するための情報を実測データに付加する。
【００２５】
なお、映像表示部１１０は、例えば、バックライトの制御をＰＷＭ（Pulse Width Modulation）信号で行う。ＰＷＭ信号とは、例えば、ＬＥＤを高速に点滅させて、明るさを調整する信号である。センシング結果変換部１４２は、検出部１２０による検出結果からＰＷＭ信号の影響を取り除くため、例えば、検出部１２０の検出結果を対象時刻から一定時間前までの期間で積分することで、センサー検出レベルの変化を検出し、実測データとする。
【００２６】
［映像表示部１１０および検出部１２０の構成例]
以下、図３および図４を用いて、映像表示部１１０の光源の配置例を説明する。図３および図４は、映像表示部１１０の映像信号変換部１１４を模式的に表した図である。図３は「ダイレクト型」、図４は「エッジ型」と称されることがある。
【００２７】
図３は、映像信号変換部１１４が縦に１８分割、横に１６分割されている様子を示す。映像信号変換部１１４は、図３に示す通り、１８と１６の積である２８８の要素から構成されている。以下、前述の２８８の要素のうち、任意の一つを「映像信号変換要素１１４ａ」と称する。映像信号変換要素１１４ａには、少なくとも１つ以上のバックライト光源を備える。映像信号変換要素１１４ａのバックライト光源は、制御部１５０により、ローカルディミング制御が行われる。
【００２８】
図４は、映像信号変換部１１４が縦に１２分割されている様子を示す。映像信号変換部１１４は、図４に示す通り、１２の要素から構成されている。以下、前述の１２の要素のうち、任意の一つを「映像信号変換要素１１４ｂ」と称する。映像信号変換要素１１４ｂは、少なくとも上端または下端のいずれか一方にバックライト光源を備える。映像信号変換要素１１４ｂのバックライト光源は、制御部１５０により、ローカルディミング制御が行われる。
【００２９】
以下、図５および図６を用いて、検出部１２０の配置例を説明する。図５は、映像表示部１１０を裏面１１０ｃの方向から見た斜視図である。図５に示す通り、映像表示部１１０の背面１１６に、任意の数の検出部１２０を備える。
【００３０】
図６は、図５の背面１１６および検出部１２０の詳細を示した分解斜視図である。背面１１６には、光検出穴１１８を備える。また、検出部１２０は、例えば、センサー１２２と、センサー設置ホルダー１２４とを備える。
【００３１】
図６に示すように、検出部１２０は、光検出穴１１８の上に設置される。センサー設置ホルダー１２４には、光検出穴１１８からバックライトを確認できるよう、光検出穴１１８に合わせた場所に穴が設けられている。センサー１２２は、光検出穴１１８およびセンサー設置ホルダー１２４を通過してくるバックライト光を検知し、その輝度を検出する。なお、光検出穴１１８によってセンシングできる領域には、少なくとも１つ以上の映像信号変換要素が含まれる。
【００３２】
なお、センサー１２２は、例えば、出力部１４０の映像信号変換要素の総数（ディミング駆動分割数）が、出力部１４０のピクセルと同等数である場合、複数の映像信号変換要素をセンシングしてもよい。また、検出部１２０は、図６では単一のセンサー１２２を備える例を示したが、複数のセンサーによって構成されてもよい。その場合、制御部１５０は、センシング対象となる映像信号変換要素に基づいて、センシングに用いるセンサーを切り替える制御を行う。
【００３３】
［センシング結果変換部１４２の実測データの処理例］
以下、図７を用いて、検出部１２０により検出する輝度のデータの検出例を示す。図７は、縦軸に検出部１２０により検出する輝度（センサー検出レベル）、横軸に信号レベルを用いて、両者の関係性を表すグラフ図である。なお、センサー検出レベルは、例えば、光の強度を示す単位としてルクスを用いて示す。また、信号レベルとは、例えば映像表示部１１０に表示する映像に適したバックライトの光の強さを表す。以下、信号レベルを表現する際に、例えば「黒レベル」や「白レベル」と称することがある。黒レベルとは、例えば、映像表示部１１０で黒い映像を表現する際の光の強さを示す。検出部１２０は、例えば、図７の横軸に「黒」と記載した領域の値を検知した場合、映像表示部１１０で黒を含んだ映像を表現していることを表す。また、白レベルとは、例えば、映像表示部１１０で白い映像を表現する際の光の強さを示す。検出部１２０は、例えば、図７の横軸に「白」と記載した領域の値を検知した場合、映像表示部１１０で白を含んだ映像を表現していることを表す。
【００３４】
検出部１２０により検出できるセンサー検出レベルを、図７のＰ１とＰ２とＰ３を通過する実線により示す。図７のＰ１は、黒レベルの映像信号の検出例を示す。制御部１５０は、例えば黒レベルを表現する際に、映像信号変換部１１４のバックライトのディミング制御を行ない、バックライトを消灯状態にする。図７のＰ１は、例えば、黒レベルを検出部１２０で検出した場合、検出レベルが０［ルクス］であることを示す。
【００３５】
図７のＰ３は、白レベルの映像信号の検出例を示す。制御部１５０は、例えば白レベルを表現する際に、映像信号変換部１１４のバックライトのディミング制御を行ない、バックライトを点灯状態にする。図７のＰ３は、例えば、白レベルを検出部１２０で検出した場合、検出レベルが５００［ルクス］であることを示す。
【００３６】
図７のＰ２は、白レベルと黒レベルの中間調の映像信号の検出例を示す。制御部１５０は、例えば中間調レベルを表現する際に、映像信号変換部１１４のバックライトのディミング制御を行ない、バックライトを点滅状態にする。図７のＰ２は、例えば、白レベルと黒レベルの中間調を検出部１２０で検出した場合、検出レベルが２５０［ルクス］であることを示す。
【００３７】
映像表示装置１Ａは、映像表示部１１０の輝度を検出する、検出部１２０のセンサー検出レベルの検出結果と、時間計測部１３２の時間計測結果とを対応付けることで、映像表示がされたことの実績を表す実測データを作成することができる。
【００３８】
また、外部装置９００Ｂに出力された実測データは、例えば、図７に示した信号レベルを基準値として検証することができる。例えば、映像表示装置１Ａで流す映像が白レベルを含む場合であって、実測データには５００［ルクス］の検出結果を含まれていなかった場合、想定通りの映像表示がされなかった可能性があると判定することができる。
【００３９】
［センシングの流れ］
以下、映像表示装置１Ａによるセンシングの流れの一例を説明する。
【００４０】
例えば、映像表示装置１Ａは、所定の時刻に、外部装置９００Ａから映像信号の受信を開始する。次に、制御部１５０は、外部装置９００Ａから映像信号を受信し、入力される映像信号に基づいて、映像表示部１１０に映像を表示する。また、制御部１５０は、映像表示部１１０による映像の表示の開始と同時に、センシング結果変換部１４２に、センシングの開始命令を出力する。センシング結果変換部１４２は、所定の周期で、検出部１２０から検出結果を収集し、さらに時間計測部１３２から時間計測結果を収集する。センシング結果変換部１４２は、検出部１２０の検出結果と、時間計測部１３２の時間計測結果とを対応付けた実測データを、記憶部１４４に出力する。制御部１５０は、映像表示部１１０による映像の表示の終了と同時に、センシング結果変換部１４２に、センシングの終了命令を出力する。センシング結果変換部１４２は、センシングを終了する。
【００４１】
以下、映像表示装置１Ａによるセンシングの処理の流れの一例を、フローチャートを用いて説明する。図８は、センシングの処理の流れの一例を示したフローチャートである。
【００４２】
制御部１５０は、外部装置９００Ａから映像信号を受信する（ステップＳ１００）。次に、センシング結果変換部１４２は、センシングを開始する（ステップＳ１０２）。次に、センシング結果変換部１４２は、検出部１２０から検出結果を収集・加工し、実測データを記憶部１４４に出力する（ステップＳ１０４）。次に、制御部１５０は、外部装置９００Ａから映像信号の受信が終了したか否かを判定する（ステップＳ１０６）。制御部１５０は、映像信号の受信が終了していないと判定した場合、再度ステップＳ１０４を実施する。制御部１５０は、映像信号の受信が終了したと判定した場合、センシング結果変換部１４２は、センシングを終了する（ステップＳ１０８）。これにより本フローチャートの処理は終了する。
【００４３】
［実測データの検証の流れ］
次に、映像表示装置１Ａによるセンシングの結果である、実測データを検証する処理の流れの一例を説明する。
【００４４】
センシング結果読出部１４６は、例えば、任意のタイミングで、記憶部１４４から実測データを外部装置９００Ｂに出力する。外部装置９００Ｂにより実測データを検証するユーザーは、例えば、実測データの一定時間に着目し、その一定時間の間に検出されたセンサー検出レベルに変化がある場合、映像信号が映像表示部１１０まで到達した結果、バックライトの消灯や点灯が行われていると判断できる。したがって、外部装置９００Ｂにより実測データを検証するユーザーは、少なくとも着目した一定時間は、映像が想定通り表示されていたことの確証が得られたと判断してもよい。
【００４５】
また、例えば、検出されたセンサー検出レベルに一定時間変化がない場合、動きの無い映像が表示されているか、映像表示が正常に行われていないかのいずれかの可能性がある。外部装置９００Ｂにより実測データを検証するユーザーは、センサー検出レベルに変化がない実測データの時刻の時間計測結果に着目し、例えば、対応する時刻に表示予定であった映像の内容を特定することができる。ユーザーは、例えば、対応する時刻の映像の内容が、動きのない映像によって構成されるか否かを特定することで、想定の通りであるか否かを調査することができる。
【００４６】
以下、外部装置９００Ｂによって、映像表示装置１Ａによる実測データを検証する処理の流れの一例を、フローチャートを用いて説明する。図９は、外部装置９００Ｂのユーザーによって実測データを検証する処理の流れの一例を示したフローチャートである。
【００４７】
映像表示装置１Ａは、外部装置９００Ｂに実測データを出力する（ステップＳ２００）。次に、外部装置９００Ｂのユーザーは、実測データの一定時間に着目し、その一定時間の間に検出されたセンサー検出レベルに変化があるか否かを判定する（ステップＳ２０２）。ユーザーは、変化があると判定した場合、映像表示装置１Ａは、想定の通り映像を表示したものと判断する（ステップＳ２０４）。ユーザーは、変化がないと判定した場合、実測データ単位に対応づいた時間帯の映像は、想定の通りの映像が表示されなかった可能性があるため、着目した一定時間の時刻に基づいて、対応する映像の内容の調査を行う（ステップＳ２０６）。これにより本フローチャートの処理は終了する。
【００４８】
上述したように第２の実施形態によれば、映像表示装置１Ａは、映像表示部１１０のセンサー検出レベルを検出する検出部１２０の検出結果と、時間計測部１３２の時間計測結果とを対応付けて記録することで、映像表示の実績を表す実測データを作成することができる。また、外部装置９００Ｂにより実測データを検証するユーザーは、映像表示装置１Ａによる実測データのセンサー検出レベルの変化に着目して解析することで、映像表示装置１Ａにより、映像が想定の通り表示されたか否かを判定し、確証情報として利用できる。
【００４９】
（第３の実施形態）
次に、第３の実施形態の映像表示装置１Ｂについて説明する。図１０は、第３の実施形態の映像表示装置１Ｂの構成を示すブロック図である。第３の実施形態の映像表示装置１Ｂは、第２の実施形態の映像表示装置１と比較して、結果検証部１６０をさらに備える。以下では、主に、結果検証部１６０を中心に説明する。
【００５０】
記憶部１４４には、予め外部装置９００Ａによって再生される映像が、正常に再生された場合に得られる実測データが格納されている。以下、正常に再生された場合に得られる実測データを、「想定データ」と称する。
【００５１】
例えば、映像表示装置１Ａの制御部１５０は、外部装置９００Ａから映像信号を受信すると同時に、その映像を識別するための情報（以下、識別情報と称する）を併せて受信する。制御部１５０は、センシング結果変換部１４２に、その識別情報を出力する。センシング結果変換部１４２は、記憶部１４４に識別情報を出力する。記憶部１４４は、識別情報に基づいて、対応する想定データを、記憶部１４４に出力する。センシング結果読出部１４６は、記憶部１４４から、実測データを計測された時間の順に読み出し、結果検証部１６０に出力する。
【００５２】
結果検証部１６０は、実測データの一定時間に着目し、センシング結果読出部１４６から出力された確証情報と、記憶部１４４から出力された想定データとを比較検証し、例えば、任意の単位時間ごとに、実測データと想定データとの、センシングの推移パターンが一致するか否かに基づいて、映像が想定の通り表示されたか否かを判定する。結果検証部１６０は、推移パターンが一致しないと判定した場合、該当する単位時間の間、映像が想定の通り表示されなかったものとして、例えば、エラーの記録情報を作成してもよい。結果検証部１６０は、判定結果を集約し、例えば、任意のタイミングで、外部装置９００Ｂに出力する。
【００５３】
以下、映像表示装置１Ｂによるセンシングおよび実測データを検証する処理の流れの一例を、フローチャートを用いて説明する。図１１は、映像表示装置１Ｂによる処理の流れの一例を示したフローチャートである。
【００５４】
制御部１５０は、外部装置９００Ａから映像信号を受信する（ステップＳ３００）。次に、センシング結果変換部１４２は、センシングを開始する（ステップＳ３０２）。次に、センシング結果変換部１４２は、検出部１２０から検出結果を収集・加工し（ステップＳ３０４）、実測データを記憶部１４４に出力する（ステップＳ３０６）。次に、制御部１５０は、外部装置９００Ａから映像信号の受信が終了したか否かを判定する（ステップＳ３０８）。制御部１５０は、映像信号の受信が終了していないと判定した場合、再度ステップＳ３０４を実施する。制御部１５０は、映像信号の受信が終了したと判定した場合、センシング結果変換部１４２は、センシングを終了する（ステップＳ３１０）。
【００５５】
結果検証部１６０は、任意の単位時間ごとに、実測データと、識別情報に基づく想定データとを比較し、推移パターンが一致するか否かを判定する（ステップＳ３１２）。結果検証部１６０は、推移パターンが一致すると判定した場合、想定の通り映像を表示したものと解釈する（ステップＳ３１４）。結果検証部１６０は、推移パターンが一致しないと判定した場合、該当する単位時間の間、映像が想定の通り表示されなかったものとして、エラーの記録情報を作成する（ステップＳ３１６）。これにより本フローチャートの処理は終了する。
【００５６】
上述したように第３の実施形態によれば、前述の実施形態と同様の効果を奏する他、予め用意した想定データに基づいて、結果検証部１６０により収集した実測データを速やかに検証することができる。また、第３の実施形態によれば、結果検証部１６０により実測データに、想定の通りの映像が表示できたか否かを判定した結果情報を付与することができるため、前述の実施形態と比較して、外部装置９００Ｂにより実測データを検証するユーザーの作業負担を軽減することができる。
【００５７】
［まとめ］
以上のように、本実施形態によれば、映像表示装置単独で映像表示の実績情報である確証情報を作成できることから、確証情報を作成するカメラ等の外部装置が不要になるので、コスト削減できる。
【００５８】
以上、この発明の実施形態について図面を参照して詳述してきたが、具体的な構成はこの実施形態に限られるものではなく、この発明の要旨を逸脱しない範囲の設計等も含まれる。例えば、図５および図６を用いて、映像表示部１１０の背面１１６に光検出穴１１８を設ける例を示したが、光検出穴１１８は映像表示部１１０の側面であって、バックライト光を検出できる箇所に設置されてもよい。
【００５９】
また、図１、図２および図１０における映像表示装置１、１Ａおよび１Ｂの機能を実現するためのプログラムをコンピュータ読み取り可能な記録媒体に記録して、この記録媒体に記録されたプログラムをコンピュータシステムに読み込ませ、実行することにより、映像表示装置１、１Ａおよび１Ｂの制御システムにおいて、センシング結果変換部１４２が行うセンシング結果変換工程と、センシング結果読出部１４６が行うセンシング結果読出工程と、を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００６１】
１、１Ａ  映像表示装置
１１０  映像表示部
１２０  検出部
１３０  取得部
１３２  時間計測部
１４０  出力部
１４２  センシング結果変換部
１４４  記憶部
１４６  センシング結果読出部
１５０  制御部
１６０  結果検証部
９００Ａ、９００Ｂ  外部装置
１１２  表示面
１１４  映像信号変換部
１１６  背面
１１８  光検出穴
１１４ａ，１１４ｂ  映像信号変換要素
１２２  センサー
１２４  センサー設置ホルダー
【図１】
2019129502.tif 000003
【図２】
2019129502.tif 000004
【図３】
2019129502.tif 000005
【図４】
2019129502.tif 000006
【図５】
2019129502.tif 000007
【図６】
2019129502.tif 000008
【図７】
2019129502.tif 000009
【図８】
2019129502.tif 000010
【図９】
2019129502.tif 000011
【図１０】
2019129502.tif 000012
【図１１】
2019129502.tif 000013